(57)【要約】【課題】１本の筆記軸が突出した状態で、その先端に衝撃が作用したときの耐衝撃性を向上させ、耐久性を向上させることができる複合筆記具とする。【解決手段】後軸筒に対して回転不能となったカム本体２２と、筆記軸の後端部に連結されたスライダ３２と、が設けられる。カム本体２２には、前方に向けて突出するＶ字状のカム突起２２ｂが形成されて、カム突起２２ｂに沿って前方に面するカム面２２ｃが形成されており、カム面２２ｃのカム突起の頂点部分には係止凹部２２ｄが形成され、係止凹部２２ｄは、一対の傾斜面２２ｆ、２２ｆとそれらの間に形成された直線部２２ｅからなる。スライダ３２には、後方に向けて突出するＶ字状のカム３２ａが形成されて、カム３２ａに沿って後方に面する摺接面３２ｂが形成されており、カム３２ａの先端には、直線部３２ｃが形成される。カム３２ａが係止凹部２２ｄに係止された状態で、筆記軸の先端が軸筒の先端開口から突出し、その際に、カム３２ａの直線部３２ｃの両端が係止凹部２２ｄの傾斜面２２ｆに当接する。【選択図】図７
2009172881.tif 000002
【特許請求の範囲】
【請求項１】
軸筒内に複数の筆記軸が収納されて、該複数の筆記軸の中から選択的に１つの筆記軸の先端を軸筒の先端開口から突出可能とした複合筆記具において、
カム本体と、各筆記軸の後端部に連結されたスライダと、が設けられており、
前記カム本体には、前方に向けて突出するＶ字状のカム突起が形成されて、カム突起に沿って前方に面するカム面が形成されており、前記カム面のカム突起の頂点部分には係止凹部が形成されており、
前記スライダには、後方に向けて突出するＶ字状のカムが形成されて、該カムに沿って後方に面する摺接面が形成されており、
前記カム本体とスライダとの間の相対回転により、前記摺接面がカム面を摺接して、１つのカムが前記係止凹部に係止されることにより、選択的に該カムの設けられたスライダに連結された筆記軸の先端が軸筒の先端開口から突出するようになっており、
前記係止凹部は、一対の傾斜面とそれらの間に形成された直線部からなり、前記カムの先端には、直線部が形成されており、
前記カムが係止凹部に係止された状態で、カムの直線部の両端が係止凹部の傾斜面に当接することを特徴とする複合筆記具。
【請求項２】
前記カムが係止凹部に係止された状態で、カムの直線部と係止凹部の直線部との間に隙間が形成されることを特徴とする請求項１記載の複合筆記具。
【発明の詳細な説明】
【技術分野】
【０００１】
本発明は、例えば、ポールペン筆記軸、シャープペンシル筆記軸、消しゴム筆記軸、コンピュータ入力用筆記軸、アイライナー筆記軸等の任意の複数の筆記軸が収納されて、該複数の筆記軸の中から選択的に１つの筆記軸の先端を軸筒の先端開口から突出可能とした複合筆記具に関し、特に筆記軸の先端に衝撃力が作用したときの耐衝撃性を向上させることができる複合筆記具に関する。
【背景技術】
【０００２】
従来、この種の複合筆記具としては、特許文献１に記載したものが知られている。この複合筆記具においては、軸筒内に複数の筆記軸が収納されており、該軸筒は、先軸筒と、該先軸筒に対して相対回転可能となった後軸筒とからなっている。そして、軸筒内には、後軸筒に対して回転不能となったカム本体と、先軸筒に対して回転不能となり各筆記軸の後端部に連結されたスライダと、が設けられている。カム本体には、前方に向けて突出するＶ字状のカム突起が形成されて、カム突起に沿って前方に面するカム面が形成されており、前記カム面のカム突起の頂点部分には係止部が形成されている。また、スライダには、後方に向けて突出するＶ字状のカムが形成されて、該カムに沿って後方に面する摺接面が形成されており、該摺接面は、前記カム面に押圧されている。前記後軸筒と先軸筒との間の相対回転により、前記カムの摺接面がカム面を摺接して、１つのカムが前記係止部に係止されることにより、選択的に該カムの設けられたスライダに連結された筆記軸の先端が軸筒の先端開口から突出するようになっている。
【０００３】
【特許文献１】特開２００５−１６１８２９号公報
【発明の開示】
【発明が解決しようとする課題】
【０００４】
しかしながら、上記従来の複合筆記具においては、筆記軸の先端が軸筒の先端開口から突出している状態で、複合筆記具が落下して筆記軸の先端に衝撃が作用すると、その衝撃力がスライダからカム本体へと伝わり、カム本体が割れるという問題がある。
【０００５】
本発明は、かかる問題に鑑みなされたもので、耐衝撃性を向上させ、耐久性を向上させることができる複合筆記具を提供することをその目的とする。
【課題を解決するための手段】
【０００６】
上記目的を達成するために、本発明のうち請求項１記載の発明は、軸筒内に複数の筆記軸が収納されて、該複数の筆記軸の中から選択的に１つの筆記軸の先端を軸筒の先端開口から突出可能とした複合筆記具において、
カム本体と、各筆記軸の後端部に連結されたスライダと、が設けられており、
前記カム本体には、前方に向けて突出するＶ字状のカム突起が形成されて、カム突起に沿って前方に面するカム面が形成されており、前記カム面のカム突起の頂点部分には係止凹部が形成されており、
前記スライダには、後方に向けて突出するＶ字状のカムが形成されて、該カムに沿って後方に面する摺接面が形成されており、
前記カム本体とスライダとの間の相対回転により、前記摺接面がカム面を摺接して、１つのカムが前記係止凹部に係止されることにより、選択的に該カムの設けられたスライダに連結された筆記軸の先端が軸筒の先端開口から突出するようになっており、
前記係止凹部は、一対の傾斜面とそれらの間に形成された直線部からなり、前記カムの先端には、直線部が形成されており、
前記カムが係止凹部に係止された状態で、カムの直線部の両端が係止凹部の傾斜面に当接することを特徴とする。
【０００７】
請求項２記載の発明は、請求項１記載の前記カムが係止凹部に係止された状態で、カムの直線部と係止凹部の直線部との間に隙間が形成されることを特徴とする。
【発明の効果】
【０００８】
本発明によれば、筆記軸の先端に衝撃力が作用したときに、筆記軸からスライダに力が伝達する。このときに、スライダに形成されたカムの両端からカム本体の係止凹部の傾斜面に力が作用して、傾斜面に沿った力と傾斜面に垂直な力に分かれ、応力の集中を避けることができる。そして、カムが傾斜面を互いに広げるようにしてカム本体の係止凹部を弾性変形させる。これによって、衝撃力を吸収がされることで、カム本体の破損を防ぐことができる。
【０００９】
請求項２記載の発明によれば、カムの直線部と係止凹部の直線部との隙間によって、衝撃力が作用したときに、カムが係止凹部の奥へと入り込むことができ、確実に係止凹部を弾性変形させることができる。
【発明を実施するための最良の形態】
【００１０】
以下、図面を用いて本発明の実施の形態を説明する。
図１は、本発明の複合筆記具の実施形態を表す全体図である。図において、複合筆記具１０は、軸筒１２を備えている。軸筒１２は、先軸筒１４と後軸筒１６とからなる。
【００１１】
先軸筒１４と後軸筒１６からなる軸筒１２内に複数（この例では３本）の筆記軸３０、３０、３０が収納される。この例では、１本の筆記軸３０はシャープペンシル筆記軸、残りの２本の筆記軸３０は、色の異なるボールペン筆記軸とすることができるが、これに限らず、これらを含む消しゴム筆記軸、コンピュータ入力用筆記軸、アイライナー筆記軸等の任意の筆記軸の組み合わせとすることができる。
【００１２】
先軸筒１４の先端開口１４ａが軸筒１２の先端開口となり、この先端開口１４ａから複数の筆記軸３０、３０、３０の先端のいずれかが選択的に突出する。
【００１３】
先軸筒１４と後軸筒１６とは、嵌合筒１８によって着脱可能に且つ互いに相対回転可能に連結される。嵌合筒１８は、後軸筒１６内で該後軸筒１６に対して回転可能に配置される案内筒２０にカシメ結合され、後軸筒１６の先端から突出しており、この突出している部分に先軸筒１４が着脱可能に嵌合される。そして、嵌合筒１８の後軸筒１６の先端から突出している部分には、適宜嵌合タボが形成されて嵌合力が高められており、先軸筒１４が嵌合筒１８に連結されると両者は一体的に回転するようになっている。
【００１４】
後軸筒１６内にはカム本体２２が固定される。カム本体２２の内部段部２２ａに前記案内筒２０の後端の係止鍔２０ａが係止されており、これによって、案内筒２０が後軸筒１６内で相対回転可能に取り付けられる。尚、カム本体２２は、後軸筒１６と一体に形成してもよい。
【００１５】
案内筒２０には、各筆記軸３０に対応して、軸方向に伸びる案内溝２０ｂが形成されており、この案内溝２０ｂに筆記軸３０の後端に連結されるスライダ３２が摺動可能に配置される。スライダ３２と案内筒２０の中間部に設けられた仕切部２０ｃとの間には、筆記軸３０の周囲に巻回されたスプリング３４が介挿されており、スプリング３４がスライダ３２を後方へと常時付勢している。
【００１６】
カム本体２２には、前方に向けて突出するカム突起２２ｂが形成されており、カム突起２２ｂに沿って前方に面するカム面としての端面２２ｃがＶ字形状に伸びており、さらに、端面２２ｃは、カム突起２２ｂの両端から周方向に伸びて連続している。この端面２２ｃのＶ字形状の頂点部分には、係止部としての係止凹部２２ｄが形成されている。
【００１７】
係止凹部２２ｄは、詳細には、図４に示したように、その凹部の中心部が、従来のように曲線ではなく、直線部２２ｅとなっており、直線部２２ｅの両側が一対の傾斜面２２ｆ、２２ｆとなっている。一対の傾斜面２２ｆ、２２ｆが奥に行くに従って互いに接近している。そして、係止凹部２２ｄは、この一対の傾斜面２２ｆ、２２ｆが互いに離れる方向に弾性変形可能となっている。
【００１８】
一方、図５に示したように、スライダ３２の外周面にはカム３２ａが形成されており、このカム３２ａに沿って後方に面する摺接面３２ｂがＶ字形状に伸びている。スプリング３４によって後方へと付勢されるスライダ３２のカム３２ａの摺接面３２ｂは、前記端面２２ｃに押圧されており、端面２２ｃに摺接される。
【００１９】
Ｖ字形状をなして伸びる摺接面３２ｂの先端は、従来のように曲線ではなく、直線部３２ｃとなっており、直線部３２ｃの両端は小さな曲率半径の曲面となっている。好ましくは、この直線部３２ｃの長さは、前記直線部２２ｅの長さよりも大きくなっているとよい。
【００２０】
また、カム本体２２の後方には、消しゴム受台２４が固着され、消しゴム受台２４に消しゴム２６が挿入され、消しゴムカバー２８が被着されている。また、消しゴム受台２４と後軸筒１６の後端との間には、クリップ２９の基部が挟着されており、クリップ２９の本体は、後軸筒１６に沿って伸びている。
【００２１】
以上のように構成される複合筆記具１０において、その操作を説明する。
【００２２】
図３及び図６（ｂ）に示す状態から、後軸筒１６を先軸筒１４に対して回転すると、後軸筒１６に固定されたカム本体２２が一緒に回転する。一方、先軸筒１４に対して一体的に回転するようになっている嵌合筒１８及び嵌合筒１８に連結された案内筒２０は回転しないため、案内筒２０とカム本体２２との間には相対回転が発生する。よって、案内筒２０の案内溝２０ｂにあるスライダ３２とカム本体２２との間に相対回転が発生して、スライダ３２のカム３２ａの摺接面３２ｂがカム本体２２の端面２２ｃに沿って移動する。しかして、１つのスライダ３２のカム３２ａがカム本体２２のカム突起２２ｂの端面２２ｃの係止凹部２２ｄに到達して、その係止凹部２２ｄに係止されると、そのスライダ３２及びそれに連結される筆記軸３０は前進した状態を維持し、筆記軸３０の先端が先軸筒１４の先端開口１４ａから突出して、使用に供される（図２及び図６（ａ））。
【００２３】
他のスライダ３２のカム３２ａは、カム本体２２の端面２２ｃのカム突起２２ｂの麓部分に到達して、スライダ３２及びそれに連結される筆記軸３０は退没した状態を維持する。
【００２４】
カム３２ａと係止凹部２２ｄとの係止時に、図７（ａ）に示すように平常時、カム３２ａの直線部３２ｃの両端は、係止凹部２２ｄの傾斜面２２ｆに当接している。つまり、カム３２ａの直線部３２ｃは、係止凹部２２ｄの直線部２２ｅとは直接接触しておらず、両者の間には僅かな隙間が形成されている。
【００２５】
このように１つの筆記軸３０が前進した状態にあるときに、複合筆記具１０が落下するなどして、筆記軸３０の先端に衝撃が作用すると、その衝撃力はスライダ３２に伝わる。従来は、図８に示すように、カムの先端が細くなっているために、カム本体に応力が集中して、その中央部分からひび割れて裂けるという問題がある。これに対して、本発明では、スライダ３２のカム３２ａの直線部の両端が、カム本体２２の係止凹部２２ｄの傾斜面２２ｆに当接しているために、筆記軸３０の軸方向に沿った衝撃力は、傾斜面２２ｆに沿った力と傾斜面２２ｆに垂直な力とに分かれ、応力の集中を避けることができる。そして、カム３２ａが、係止凹部２２ｄ内に潜り込んで、図７（ｂ）に示すように、カム３２ａの直線部３２ｃが係止凹部２２ｄの直線部２２ｅに当接するまで、スライダ３２のカム３２ａが係止凹部２２ｄを押し広げる。このようにして、カム３２ａが係止凹部２２ｄの傾斜面２２ｆを押し広げて弾性変形させるようにして潜り込むことで、衝撃力を緩衝させることができ、カム本体２２の破損を防ぐことができる。衝撃力が解除されたときには、元の状態に戻ることができる。
【００２６】
突出している筆記軸３０の使用が終了して収納したい場合には、後軸筒１６を再び先軸筒１４に対して少し強く回転すると、カム本体２２のカム突起２２ｂの係止凹部２２ｄに係止しているスライダ３２のカム３２ａが係止凹部２２ｄから脱出して、端面２２ｃを移動し、図６（ｂ）に示すような状態になると、すべての筆記軸３０が退没した状態となる。このように、複数の筆記軸３０が軸筒１２内において、その軸筒１２の周方向に沿って回転移動することで、順次１つの筆記軸３０が軸筒１２の先端から突出した状態と、全ての筆記軸３０が退没した状態とを繰り返すことができる。
【００２７】
以上のようにして本発明の複合筆記具は、衝撃力に強い構造とすることができるので、耐久性を向上させることができる。
【００２８】
尚、以上の実施形態では、軸筒が先軸筒と後軸筒とからなっており、これらの相対回転により、スライダとカム本体との間に相対回転が発生する構成になっていたが、これに限るものではなく、先軸筒と後軸筒とが一体となった軸筒とし、カム本体が軸筒の後端より突出して、カム本体を軸筒に対して回転させることで、スライダとカム本体との間に相対回転を発生させる構成の複合筆記具にも同様に適用可能である。
【図面の簡単な説明】
【００２９】
【図１】本発明の複合筆記具の実施形態を表す縦断面図である（尚、図中、案内筒の後部については、上部のみ断面図となっている）。
【図２】１つの筆記軸が突出した状態におけるカム本体、案内筒、スライダ及び先軸筒の関係を表す説明図であり、（ａ）はカム本体のカム突起側から見た図、（ｂ）は（ａ）と反対側から見た図である。
【図３】すべての筆記軸が退没した状態におけるカム本体、案内筒、スライダ及び先軸筒の関係を表す説明図であり、（ａ）はカム本体のカム突起側から見た図、（ｂ）は（ａ）と反対側から見た図である。
【図４】カム本体のカム突起の頂点付近を表す拡大平面展開図である。
【図５】スライダの平面図である。
【図６】カム本体とカムとの関係を表す図であり、（ａ）が１つの筆記軸が突出した状態、（ｂ）がすべての筆記軸が退没した状態である。
【図７】カム本体の係止凹部にスライダのカムが係止した状態を表す拡大図であり、（ａ）は平常時の状態、（ｂ）は衝撃が作用した状態を表す。
【図８】従来の構成において衝撃が作用した状態を表す図７相当図である。
【符号の説明】
【００３０】
１０  複合筆記具
１２  軸筒
１４  先軸筒
１４ａ  先端開口
１６  後軸筒
２２  カム本体
２２ｂ  カム突起
２２ｃ  端面（カム面）
２２ｄ  係止凹部
２２ｅ  直線部
２２ｆ  傾斜面
３０  筆記軸
３２  スライダ
３２ａ  カム
３２ｂ  摺接面
３２ｃ  直線部
【図１】
2009172881.tif 000003
【図２】
2009172881.tif 000004
【図３】
2009172881.tif 000005
【図４】
2009172881.tif 000006
【図５】
2009172881.tif 000007
【図６】
2009172881.tif 000008
【図７】
2009172881.tif 000009
【図８】
2009172881.tif 000010